【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
ディスクを載置しておくための複数のディスク載置手段と、  これらディスク載置手段の昇降・分割を行う昇降分割手段とを備えたディスク再生装置において、
前記ディスク載置手段から不意に外れたディスクの移動を規制する移動規制手段を備えていることを特徴とするディスク再生装置。
【請求項２】
前記移動規制手段が、前記ディスク載置手段から外れたディスクの落下を規制し、前記昇降分割手段の昇降動作により、前記外れたディスクを前記ディスク載置手段に戻すものであることを特徴とする請求項１記載のディスク再生装置。
【請求項３】
前記移動規制手段が、前記ディスク載置手段の周縁部に形成された挿通孔を挿通してディスク面に対して略直交する方向に配設された第１のディスクガイドを含んでいることを特徴とする請求項１又は請求項２記載のディスク再生装置。
【請求項４】
前記第１のディスクガイドが、上部の方が下部よりも前記ディスク載置手段に載置されるディスクの中心軸から離れるように段差部が形成されたものであることを特徴とする請求項３記載のディスク再生装置。
【請求項５】
タ−ンテ−ブルとピックアップとが搭載されたディスク搬送手段を所定位置まで水平移動させるスライドシャ−シを備え、
前記移動規制手段が、前記スライドシャ−シの前記ディスク載置手段側に設けられた第２のディスクガイドを含んでいることを特徴とする請求項１〜４のいずれかの項に記載のディスク再生装置。
【請求項６】
前記スライドシャ−シの下方に設置され、該スライドシャ−シを昇降させる架台シャ−シを備え、
前記移動規制手段が、前記架台シャ−シの前記ディスク載置手段側に設けられた第３のディスクガイドを含んでいることを特徴とする請求項１〜５のいずれかの項に記載のディスク再生装置。
【請求項７】
前記第３のディスクガイドが、前記架台シャ−シの一部を上方に屈曲させて形成されたものであることを特徴とする請求項６記載のディスク再生装置。
【請求項８】
前記ディスク載置手段が、ディスクの前記ディスク載置手段からの落下を防止する落下防止手段を備えていることを特徴とする請求項１〜７のいずれかの項に記載のディスク再生装置。
【請求項９】
前記落下防止手段が、前記ディスク載置手段のディスク受け部が前記ディスク載置手段に載置されるディスクの中心方向に延設されて形成されたものであることを特徴とする請求項８記載のディスク再生装置。
【請求項１０】
前記ディスク載置手段の昇降・分割による重ね合わせ時に、前記ディスク載置手段の正常位置から外れた状態のディスクを前記正常位置へと導くテ−パ部が前記ディスク載置手段の周縁部に形成されていることを特徴とする請求項１〜９のいずれかの項に記載のディスク再生装置。
【請求項１１】
前記テ−パ部が、前記ディスク載置手段に載置されたディスクの浮き上がりを防止するための浮上防止手段と兼用されていることを特徴とする請求項１０記載のディスク再生装置。
【手続補正２】
【補正対象書類名】明細書
【補正対象項目名】００３４
【補正方法】変更
【補正の内容】
【００３４】
【課題を解決するための手段及びその効果】
上記目的を達成するために本発明に係るディスク再生装置（１）は、ディスク
を載置しておくための複数のディスク載置手段と、これらディスク載置手段の昇
降・分割を行う昇降分割手段とを備えたディスク再生装置において、前記ディス
ク載置手段から不意に外れたディスクの移動を規制する移動規制手段を備えてい
ることを特徴としている。
また本発明に係るディスク再生装置（２）は、上記ディスク再生装置（１）に
おいて、前記移動規制手段が、前記ディスク載置手段から外れたディスクの落下
を規制し、前記昇降分割手段の昇降動作により、前記外れたディスクを前記ディ
スク載置手段に戻すものであることを特徴としている。
【手続補正３】
【補正対象書類名】明細書
【補正対象項目名】００３５
【補正方法】変更
【補正の内容】
【００３５】
上記ディスク再生装置（１）、（２）によれば、前記移動規制手段により振動
等で前記ディスク載置手段から不意に外れたディスクの移動を規制することがで
き、前記ディスク載置手段から外れたディスクの落下を規制し、駆動制御手段に
よる前記ディスク載置手段の昇降・分割動作によって、前記ディスクを前記ディ
スク載置手段の正常位置に載置させることができる。したがって、挿入されたデ
ィスクが前記ディスク載置手段上に正常に載置されなかった場合や、正常に載置
されていたディスクが前記ディスク載置手段から外れてしまった場合などでも、
前記ディスクが装置から排出できなくなったり、動作不能になってしまうといっ
た不具合の発生を防止することができ、面倒な取り外し作業を行わずに、正常な
動作状態に素早く復帰させることができる。
【手続補正４】
【補正対象書類名】明細書
【補正対象項目名】００３６
【補正方法】変更
【補正の内容】
【００３６】
また本発明に係るディスク再生装置（３）は、上記ディスク再生装置（１）又
は（２）において、前記移動規制手段が、前記ディスク載置手段の周縁部に形成
された挿通孔を挿通してディスク面に対して略直交する方向に配設された第１の
ディスクガイドを含んでいることを特徴としている。
【手続補正５】
【補正対象書類名】明細書
【補正対象項目名】００３７
【補正方法】変更
【補正の内容】
【００３７】
上記ディスク再生装置（３）によれば、挿入されたディスクが前記ディスク載
置手段上に正常に載置されなかった場合や、正常に載置されていたディスクが前
記ディスク載置手段から外れてしまった場合などでも、前記第１のディスクガイ
ドにより前記ディスク載置手段の周縁部より外側に前記ディスクが移動しないよ
うに位置規制を行うことができ、前記ディスクの移動範囲を狭くすることができ
る。
【手続補正６】
【補正対象書類名】明細書
【補正対象項目名】００３８
【補正方法】変更
【補正の内容】
【００３８】
また本発明に係るディスク再生装置（４）は、上記ディスク再生装置（３）に
おいて、前記第１のディスクガイドが、所定位置より上部の方が下部よりも前記
ディスク載置手段に載置されるディスクの中心軸から離れるように段差部が形成
されたものであることを特徴としている。
【手続補正７】
【補正対象書類名】明細書
【補正対象項目名】００３９
【補正方法】変更
【補正の内容】
【００３９】
上記ディスク再生装置（４）によれば、前記第１のディスクガイドに前記段差
部が形成されているので、前記ディスク載置手段の上方でディスクの再生を行う
場合に、再生中のディスクと前記第１のディスクガイドとが接触するのを防止す
ることができる。
【手続補正８】
【補正対象書類名】明細書
【補正対象項目名】００４０
【補正方法】変更
【補正の内容】
【００４０】
また本発明に係るディスク再生装置（５）は、上記ディスク再生装置（１）〜
（４）のいずれかにおいて、タ−ンテ−ブルとピックアップとが搭載されたディ
スク搬送手段を所定位置まで水平移動させるスライドシャ−シを備え、前記移動
規制手段が、前記スライドシャ−シの前記ディスク載置手段側の所定箇所に設け
られた第２のディスクガイドを含んでいることを特徴としている。
【手続補正９】
【補正対象書類名】明細書
【補正対象項目名】００４１
【補正方法】変更
【補正の内容】
【００４１】
上記ディスク再生装置（５）によれば、前記移動規制手段が、前記スライドシ
ャ−シの前記ディスク載置手段側の所定箇所に設けられた第２のディスクガイド
を含んでいるので、例えば、挿入されたディスクが前記ディスク載置手段上に正
常に載置されなかった場合や、前記ディスク載置手段の昇降・分割動作時に、前
記ディスク載置手段を正常に分割できずに該ディスク載置手段からディスクが外
れてしまった場合などでも、前記スライドシャ−シ上方における外れたディスク
の前記スライドシャ−シ側への移動を規制することができる。
したがって、前記第２のディスクガイドより外側へのディスクの移動を確実に
阻止でき、前記ディスクの移動範囲を狭くして、前記昇降・分割動作により、外
れたディスクをもとのディスク載置手段の正常位置に載置させることが容易とな
る。
【手続補正１０】
【補正対象書類名】明細書
【補正対象項目名】００４２
【補正方法】変更
【補正の内容】
【００４２】
また本発明に係るディスク再生装置（６）は、上記ディスク再生装置（１）〜
（５）のいずれかにおいて、前記スライドシャ−シの下方に設置され、該スライ
ドシャ−シを昇降させる架台シャ−シを備え、前記移動規制手段が、前記架台シ
ャ−シの前記ディスク載置手段側の所定箇所に設けられた第３のディスクガイド
を含んでいることを特徴としている。
【手続補正１１】
【補正対象書類名】明細書
【補正対象項目名】００４３
【補正方法】変更
【補正の内容】
【００４３】
上記ディスク再生装置（６）によれば、前記移動規制手段が、前記架台シャ−
シの前記ディスク載置手段側の所定箇所に設けられた第３のディスクガイドを含
んでいるので、例えば、前記ディスク載置手段の昇降・分割動作時に、前記ディ
スク載置手段が正常に分割できずに該ディスク載置手段からディスクが外れてし
まった場合や、ディスク再生中に、振動等により前記ディスク載置手段からディ
スクが外れてしまった場合でも、前記スライドシャ−シの下方における外れたデ
ィスクの前記架台シャ−シ側への移動を規制することができる。
したがって、前記第３のディスクガイドより外側へのディスクの移動を確実に
阻止でき、前記ディスクの移動範囲を狭くして、前記昇降・分割動作により、外
れたディスクをもとのディスク載置手段の正常位置に載置させることが容易とな
る。
【手続補正１２】
【補正対象書類名】明細書
【補正対象項目名】００４４
【補正方法】変更
【補正の内容】
【００４４】
また本発明に係るディスク再生装置（７）は、上記ディスク再生装置（６）に
おいて、前記第３のディスクガイドが、前記架台シャ−シの一部を上方に屈曲さ
せて形成されたものであることを特徴としている。
上記ディスク再生装置（７）によれば、新たに部品を取り付ける必要がなく、
組み立て工程を簡略化できる。
【手続補正１３】
【補正対象書類名】明細書
【補正対象項目名】００４５
【補正方法】変更
【補正の内容】
【００４５】
また本発明に係るディスク再生装置（８）は、上記ディスク再生装置（１）〜
（７）のいずれかにおいて、前記ディスク載置手段が、ディスクの前記ディスク
載置手段からの落下を防止する落下防止手段を備えていることを特徴としている
。
【手続補正１４】
【補正対象書類名】明細書
【補正対象項目名】００４６
【補正方法】変更
【補正の内容】
【００４６】
上記ディスク再生装置（８）によれば、前記ディスク載置手段が、前記落下防
止手段を備えているので、前記ディスク載置手段からのディスクの落下を阻止す
ることができ、複数のディスク載置手段を跨いだ状態での前記ディスクの挟み込
みを防止することができる。したがって、前記ディスクをもとのディスク載置手
段の正常位置に載置させるための前記昇降・分割動作を正常に行わせることがで
きる。
【手続補正１５】
【補正対象書類名】明細書
【補正対象項目名】００４７
【補正方法】変更
【補正の内容】
【００４７】
また本発明に係るディスク再生装置（９）は、上記ディスク再生装置（８）に
おいて、前記落下防止手段が、前記ディスク載置手段のディスク受け部が前記デ
ィスク載置手段に載置されるディスクの中心方向に延設されて形成されたもので
あることを特徴としている。
【手続補正１６】
【補正対象書類名】明細書
【補正対象項目名】００４８
【補正方法】変更
【補正の内容】
【００４８】
上記ディスク再生装置（９）によれば、前記落下防止手段が、前記ディスク載
置手段のディスク受け部が前記ディスク載置手段に載置されるディスクの中心方
向に延設されて形成されたものであるので、例えば、前記ディスク載置手段に対
してディスクが斜めに傾いた状態で挿入された場合や、振動等により前記ディス
ク載置手段からディスクが外れて斜めに傾いた状態になっても、前記ディスク載
置手段からのディスクの落下を確実に阻止することができる。
【手続補正１７】
【補正対象書類名】明細書
【補正対象項目名】００４９
【補正方法】変更
【補正の内容】
【００４９】
また本発明に係るディスク再生装置（１０）は、上記ディスク再生装置（１）
〜（９）のいずれかにおいて、前記ディスク載置手段の昇降・分割による重ね合
わせ時に、前記ディスク載置手段の正常位置から外れた状態のディスクを前記正
常位置へと導くテ−パ部が前記ディスク載置手段の周縁部に形成されていること
を特徴としている。
【手続補正１８】
【補正対象書類名】明細書
【補正対象項目名】００５０
【補正方法】変更
【補正の内容】
【００５０】
上記ディスク再生装置（１０）によれば、前記テ−パ部が前記ディスク載置手
段の周縁部に形成されているので、前記昇降・分割動作における前記ディスク載
置手段の重ね合わせ時に、前記ディスク載置手段の正常位置から外れた状態のデ
ィスクを前記テ−パ部に沿って押し込むことができ、前記ディスクを前記正常位
置へ確実に導くことができる。
【手続補正１９】
【補正対象書類名】明細書
【補正対象項目名】００５１
【補正方法】変更
【補正の内容】
【００５１】
また本発明に係るディスク再生装置（１１）は、上記ディスク再生装置（１０
）において、前記テ−パ部が、前記ディスク載置手段に載置されたディスクの浮
き上がりを防止するための浮上防止手段と兼用されていることを特徴としている
。
【手続補正２０】
【補正対象書類名】明細書
【補正対象項目名】００５２
【補正方法】変更
【補正の内容】
【００５２】
上記ディスク再生装置（１１）によれば、前記テ−パ部が、前記浮上防止手段
と兼用されているので、前記浮上防止手段の加工形状を変更するだけで、２つの
機能を共有させることができる。
【手続補正２１】
【補正対象書類名】明細書
【補正対象項目名】００７２
【補正方法】変更
【補正の内容】
【００７２】
図１１は、ストッカ用天板３２の概略構成を示した斜視図である。
ストッカ用天板３２は、最上段のストッカ３１上に載置されるディスク５３の
上面を押さえることができるように形成されており、両側部には、ストッカ３１
の分割用突起３１ｅに対応する分割用突起３２ａと、ストッカ用底板３０のばね
掛け部３０ｆに引っ掛けられたコイルばねの一端を引っ掛けるためのばね掛け部
３２ｂとが形成されている。